(57)【要約】【課題】シーソつまみ５がパネル１に占める面積が小さくなり、しかも、パネル１前方からシーソつまみ５を差し込むだけで固定できるシーソつまみ５の構造を提供する。【解決手段】表面の両端部にある２つの押圧部５ｅ、５ｅのいずれか一方を押圧することにより前記表面に対して背後側に設けられたボス５ｆを介して２つのスイッチ３のいずれか一方を作動させる押圧板５ｄの背後に前記２つの押圧部５ｅ、５ｅから等距離上に延びるヒンジ部５ａを設け、前記ヒンジ部５ａの前記押圧板５ｄから遠い先端部をパネル１またはパネル１と一体の部材により片持ち状態に支持した。【選択図】        図２
2005340049.tif 000002
【特許請求の範囲】
【請求項１】
表面の両端部にある２つの押圧部のいずれか一方を押圧することにより前記表面に対して背後側に設けられたボスを介して２つのスイッチのいずれか一方を作動させる押圧板の背後に前記２つの押圧部から等距離上に延びるヒンジ部を設け、前記ヒンジ部の前記押圧板から遠い先端部をパネルまたはパネルと一体の部材により片持ち状態に支持したことを特徴とするシーソつまみの構造。
【請求項２】
前記ヒンジ部の先端にフック部を形成し、前記パネルまたはパネルと一体の部材に前記ヒンジ部を挟むように後方に向けて狭くなるように傾斜した一対の挾持板を形成し、前記ヒンジ部の根本の両側に係止部を設け、前記フック部を前記挾持板を弾性変形させながら前記挾持板の後方に押し込み、前記前記フック部と前記係止部により前記パネルまたはパネルと一体の部材を挾持させることによりシーソつまみの前記ヒンジ部を前記パネルまたはパネルと一体の部材で支持したことを特徴とする請求項１のシーソつまみの構造。
【発明の詳細な説明】
【技術分野】
【０００１】
この発明はシーソつまみに係わり、特に、その支持構造に関する。
【背景技術】
【０００２】
従来、押圧板の片側を押すことにより押圧板を傾動させて２つ並設されたスイッチのいずれか一方を作動させるシーソつまみが知られている。図４〜図６によりそのようなシーソつまみの支持構造の例を説明する。図４（ａ）は従来のシーソつまみの構造の例を一部部材を透視して示す正面図、図４（ｂ）は同シーソつまみの構造を示す平面図、図４（ｃ）は同シーソつまみの構造を示す側面図、図５は図４（ａ）におけるＡ−Ａ断面図、図６は同シーソつまみの構造を示す分解斜視図である。
【０００３】
図４〜図６に示すパネル１の穴を塞ぐようにシーソつまみ６の押圧板６ｃが配置される。押圧板６ｃの背後にはボス６ｄ、６ｄが設けられており、押圧板６ｃを傾動させることによりプリント基板２に配置されたスイッチ３、３のいずれか一方をボス６ｄにより作動させる。
【０００４】
押圧板６ｃの周囲の背後にはパネル１の穴の隙間を塞ぐフランジ部６ｂが一体に形成されており、このフランジ部６ｂから図４（ａ）における上下に延びるようにヒンジ部６ａ、６ａが形成されている。
【０００５】
パネル１の背後に一体形成されたボス１ｄ、１ｄにプリント基板２の穴を挿通してねじ込まれるねじ４、４によりプリント基板２が締着される。このプリント基板２は押さえ部材７を押さえ、押さえ部材７とパネル１の突起との間に挟むようにしてシーソつまみ６のヒンジ部６ａ、６ａを固定している。
【０００６】
このように固定されたシーソつまみ６の押圧板６ｃの一方の側を指で押すと、ヒンジ部６ａ、６ａを捩じるように変形させながら押圧板６ｃの一方の側が下がるように回動し、ボス６ｄにより一方のスイッチ３を作動させる。押圧板６ｃから指を離すと、ヒンジ部６ａ、６ａの弾性により元の状態に戻される。
【０００７】
特開平７−２４５０３５号公報に提案された操作装置は、操作体２５の中央部が弾性部材２３により支持枠１１（パネル）から突出する方向に付勢されており、操作体２５の縁を押すと、押した部分の背後に配置されたスイッチ（Ｓａ、Ｓｃ）を作動させることができる。
【特許文献１】特開平７−２４５０３５号公報、第４〜６頁、図４
【発明の開示】
【発明が解決しようとする課題】
【０００８】
上記した図４〜図６に示す従来のシーソつまみはねじれ変形するヒンジ部が押圧板の外周の外に延びるように配置されており、ヒンジ部の長さをある程度以上に長くしなければ、必要な弾性変形が得られないため、シーソつまみがパネルに占める面積が大きくなり、設計の自由度が制限されていた。
【０００９】
また、シーソつまみを固定する部材をパネルの背後から取り付けるため、組み立て工程上の制約となっていた。
【００１０】
特開平７−２４５０３５号公報に提案された操作装置は操作体２５の中央部近傍を押した場合には、複数のスイッチが作動することがあり、確実に１つのスイッチのみを選択して作動させることができなかった。
【００１１】
この発明は上記した点に鑑みてなされたものであって、その目的とするところは、確実に１つのスイッチのみを選択して作動させるシーソつまみであって、シーソつまみがパネルに占める面積が小さくなり、しかも、パネル前方からシーソつまみを差し込むだけで固定できるシーソつまみの構造を提供することにある。
【課題を解決するための手段】
【００１２】
この発明のシーソつまみの構造は、表面の両端部にある２つの押圧部のいずれか一方を押圧することにより前記表面に対して背後側に設けられたボスを介して２つのスイッチのいずれか一方を作動させる押圧板の背後に前記２つの押圧部から等距離上に延びるヒンジ部を設け、前記ヒンジ部の前記押圧板から遠い先端部をパネルまたはパネルと一体の部材により片持ち状態に支持したものである。
【００１３】
さらに、前記シーソつまみの構造において、前記ヒンジ部の先端にフック部を形成し、前記パネルまたはパネルと一体の部材に前記ヒンジ部を挟むように後方に向けて狭くなるように傾斜した一対の挾持板を形成し、前記ヒンジ部の根本の両側に係止部を設け、前記フック部を前記挾持板を弾性変形させながら前記挾持板の後方に押し込み、前記前記フック部と前記係止部により前記パネルまたはパネルと一体の部材を挾持させることによりシーソつまみの前記ヒンジ部を前記パネルまたはパネルと一体の部材で支持したものである。
【発明の効果】
【００１４】
この発明のシーソつまみの構造によれば、シーソつまみのヒンジ部はパネルの奥側に延びるので、弾性撓みを大きくするために長くしてもパネル面積に占めるスペースが増えることがなく、設計の自由度が増大する。
【００１５】
また、ヒンジ部の変形は曲げ変形であるため、従来のシーソつまみの捩じり変形に比べ最大応力が小さくなり、耐久性が増大する。
【００１６】
また、シーソつまみはプリント基板等を取り付けた後、パネル前方から差し込むだけで取り付け可能であり、従来のもののようにシーソつまみとプリント基板を同時に取り付けるものと比べ組み立て作業が簡単である。また、シーソつまみの位置決めも正確に行われる。
【発明を実施するための最良の形態】
【００１７】
以下この発明を実施するための最良の形態を実施例に即して説明する。
【実施例１】
【００１８】
図１（ａ）はこの発明の実施例１であるシーソつまみの構造を一部部材を透視して示す正面図、図１（ｂ）は同シーソつまみの構造を示す平面図、図１（ｃ）は同シーソつまみの構造を示す側面図、図２は図１（ａ）におけるＡ−Ａ断面図、図３は同シーソつまみの構造を示す分解斜視図である。
【００１９】
図１〜図３に示すパネル１の穴を塞ぐようにシーソつまみ５の押圧板５ｄが配置される。押圧板５ｄの背後にはボス５ｆ、５ｆが設けられており、押圧板５ｄを傾動させることによりプリント基板２に配置されたスイッチ３、３のいずれか一方をボス５ｆにより作動させる。
【００２０】
シーソつまみ５の押圧板５ｄの背後にはさらにボス５ｆ、５ｆから等距離の面上に延びるヒンジ部５ａが形成されており、ヒンジ部５ａの先端にはフック部５ｂが形成され、根元には係止部５ｃ、５ｃが形成されている。ボス５ｆ、５ｆの位置に対応する押圧板５ｄの表面は押圧部５ｅ、５ｅとなっている。
【００２１】
パネル１の背後に一体形成されたボス１ｄ、１ｄにプリント基板２の穴を挿通してねじ込まれるねじ４、４によりプリント基板２が締着される。パネル１の一部に段差が形成されて押圧板５ｄの背後に位置する支持プレート１ａとなっている。支持プレート１ａにはシーソつまみ５のヒンジ部５ａを挿通させるスリット１ｅが形成され、そのスリット１ｅの両側に挾持板１ｂ、１ｂが形成されている。
【００２２】
支持プレート１ａにはさらにシーソつまみ５のボス５ｆ、５ｆを挿通させる穴１ｃ、１ｃが形成されている。シーソつまみ５は挾持板１ｂ、１ｂを弾性変形させてフック部５ｂを挾持板１ｂ、１ｂの間に押し込むことにより固定される。
【００２３】
シーソつまみ５が固定された状態は図１（ｂ）に示すようにヒンジ部５ａが挾持板１ｂ、１ｂに挾持され、フック部５ｂおよび係止部５ｃ、５ｃが夫々挾持板１ｂ、１ｂおよび支持プレート１ａに係止された状態となっている。
【００２４】
このように固定されたシーソつまみ５の押圧板５ｄの一方の押圧部５ｅを指で押すと、ヒンジ部５ａを曲げるように変形させながら押圧板５ｄの一方の側が下がるように回動し、ボス５ｆにより一方のスイッチ３を作動させる。押圧板５ｄから指を離すと、ヒンジ部５ａの弾性により元の状態に戻される。
【００２５】
上記実施例１によると、シーソつまみ５のヒンジ部５ａはパネルの奥側に延びるので、弾性撓みを大きくするために長くしてもパネル面積に占めるスペースが増えることがなく、設計の自由度が増大する。
【００２６】
また、ヒンジ部５ａの変形は曲げ変形であるため、従来のシーソつまみの捩じり変形に比べ最大応力が小さくなり、耐久性が増大する。
【００２７】
また、シーソつまみはプリント基板等を取り付けた後、パネル前方から差し込むだけで取り付け可能であり、従来のもののようにシーソつまみとプリント基板を同時に取り付けるものと比べ組み立て作業が簡単である。また、シーソつまみの位置決めも正確に行われる。
【図面の簡単な説明】
【００２８】
【図１】図１（ａ）はこの発明の実施例１であるシーソつまみの構造を一部部材を透視して示す正面図、図１（ｂ）は同シーソつまみの構造を示す平面図、図１（ｃ）は同シーソつまみの構造を示す側面図である。
【図２】図１（ａ）におけるＡ−Ａ断面図である。
【図３】同シーソつまみの構造を示す分解斜視図である。
【図４】図４（ａ）は従来のシーソつまみの構造の例を一部部材を透視して示す正面図、図４（ｂ）は同シーソつまみの構造を示す平面図、図４（ｃ）は同シーソつまみの構造を示す側面図である。
【図５】図４（ａ）におけるＡ−Ａ断面図である。
【図６】同シーソつまみの構造を示す分解斜視図である。
【符号の説明】
【００２９】
１  パネル、１ａ  支持プレート、１ｂ  挾持板、１ｃ  穴、１ｄ  ボス
１ｅ  スリット
２  プリント基板
３  スイッチ
４  ねじ
５  シーソつまみ、５ａ  ヒンジ部、５ｂ  フック部、５ｃ  係止部、５ｄ  押圧板
５ｅ  押圧部、５ｆ  ボス
６  シーソつまみ、６ａ  ヒンジ部、６ｂ  フランジ部、６ｃ  押圧板、６ｄ  ボス
７  押え部材
【図１】
2005340049.tif 000003
【図２】
2005340049.tif 000004
【図３】
2005340049.tif 000005
【図４】
2005340049.tif 000006
【図５】
2005340049.tif 000007
【図６】
2005340049.tif 000008